(57)【要約】【課題】  収集サーバが端末装置を識別するクッキーＩＤとコンテンツサーバから提供されるウェブコンテンツの接触データとを対応付けることを可能とする端末装置及び収集方法を提供する。【解決手段】  端末装置１０は、フォアグラウンドのアクセス相手として収集サーバ３０が属するドメインと同じドメインに属する発行サーバ４０にアクセスした際に、収集サーバ３０が端末装置１０を識別する収集サーバ用クッキーＩＤを格納済みクッキーＩＤとして格納する格納部１２と、フォアグラウンドのアクセス相手としてコンテンツサーバ２０にアクセスする場合に、格納済みクッキーＩＤとして格納された収集サーバ用クッキーＩＤを収集サーバ３０に送信する通信部１１とを備える。【選択図】  図２
2015125748.tif 000002
【特許請求の範囲】
【請求項１】
コンテンツサーバから提供されるウェブコンテンツの接触データが前記コンテンツサーバが属するドメインとは異なるドメインに属する収集サーバによって収集されるネットワークで用いる端末装置であって、
フォアグラウンドのアクセス相手として前記収集サーバが属するドメインと同じドメインに属する発行サーバにアクセスした際に、前記収集サーバが前記端末装置を識別する収集サーバ用クッキーＩＤを格納済みクッキーＩＤとして格納する格納部と、
フォアグラウンドのアクセス相手として前記コンテンツサーバにアクセスする場合に、前記格納済みクッキーＩＤとして格納された前記収集サーバ用クッキーＩＤを前記収集サーバに送信する送信部とを備えることを特徴とする端末装置。
【請求項２】
前記収集サーバ用クッキーＩＤが前記格納済みクッキーＩＤとして格納されていない状態で、フォアグラウンドのアクセス相手として前記発行サーバに対するアクセスを要求する要求情報が埋め込まれた誘導ウェブコンテンツを前記収集サーバが属するドメインとは異なるドメインに属するサーバから受信する受信部を備え、
前記格納部は、前記要求情報の実行によってフォアグラウンドのアクセス相手として前記発行サーバに対してアクセスすることによって、前記収集サーバ用クッキーＩＤを前記格納済みクッキーＩＤとして格納することを特徴とする請求項１に記載の端末装置。
【請求項３】
前記要求情報は、前記発行サーバに対してアクセスするためのユーザ操作を誘導するためのガイド情報、或いは、ユーザ操作を必要とせずに前記発行サーバに対してアクセスする指示情報であることを特徴とする請求項１に記載の端末装置。
【請求項４】
コンテンツサーバから提供されるウェブコンテンツの接触データが前記コンテンツサーバが属するドメインとは異なるドメインに属する収集サーバによって収集されるネットワークで用いる収集方法であって、
フォアグラウンドのアクセス相手として前記収集サーバが属するドメインと同じドメインに属する発行サーバにアクセスした際に、前記収集サーバが前記端末装置を識別する収集サーバ用クッキーＩＤを格納済みクッキーＩＤとして格納するステップＡと、
フォアグラウンドのアクセス相手として前記コンテンツサーバにアクセスする場合に、前記格納済みクッキーＩＤとして格納された前記収集サーバ用クッキーＩＤを前記収集サーバに送信するステップＢとを備えることを特徴とする収集方法。
【発明の詳細な説明】
【技術分野】
【０００１】
本発明は、コンテンツサーバから提供されるウェブコンテンツの接触データを収集サーバが収集するネットワークで用いる端末装置及び収集方法に関する。
【背景技術】
【０００２】
従来、ウェブコンテンツの接触データを収集する様々な技術が提案されている（例えば、特許文献１）。例えば、測定タグを用いる手法やツールバーを用いる手法が提案されている。いずれの方法を採用する場合であっても、端末装置を識別する識別子として、ｃｏｏｋｉｅに格納されたＩＤ（以下、クッキーＩＤ）が用いられることが一般的である。
【先行技術文献】
【特許文献】
【０００３】
【特許文献１】特開２０１１−５３８１２号公報
【発明の概要】
【発明が解決しようとする課題】
【０００４】
ところで、クッキーＩＤは、同一ドメインに存在するサーバによって端末装置（詳細には、ウェブブラウザ）を識別可能な識別子である。従って、異なるドメインに存在するサーバは、互いのサーバに共通するクッキーＩＤによって端末装置を識別することができない。
【０００５】
なお、端末装置がアクセスするサーバによって発行される端末装置を識別するクッキーＩＤは、ファーストパーティクッキーＩＤと称される。端末装置がアクセスするサーバとは異なるドメインに存在するサーバによって発行される端末装置を識別するクッキーＩＤは、サードパーティクッキーＩＤと称される。
【０００６】
ここで、ｃｏｏｋｉｅを発行する収集サーバが存在するドメインが、ウェブコンテンツを配信するコンテンツサーバが存在するドメインとは異なるケースについて考える。このようなケースでは、収集サーバは、コンテンツサーバが端末装置を識別するクッキーＩＤ（以下、コンテンツサーバ用クッキーＩＤ）によって端末装置を識別することができない。従って、端末装置がコンテンツサーバにアクセスする場合に、収集サーバが端末装置を識別するためには、収集サーバによって発行されるｃｏｏｋｉｅに格納されるクッキーＩＤ（以下、収集サーバ用クッキーＩＤ）を収集サーバに送信しなければならない。
【０００７】
しかしながら、収集サーバ用クッキーＩＤは、コンテンツサーバにとっては、サードパーティクッキーＩＤであり、サードパーティクッキーＩＤの利用（格納又は送信）が禁止されている端末装置が存在する。このような端末装置では、フォアグラウンドのアクセス相手としてコンテンツサーバに対してアクセスしているときに、バックグラウンドのアクセス相手として収集サーバにアクセスしても、収集サーバ用クッキーＩＤを利用（格納又は送信）することができないため、収集サーバ用クッキーＩＤとコンテンツサーバから提供されるウェブコンテンツの接触データとを対応付けることができない。
【０００８】
なお、フォアグラウンドのアクセスとは、例えば、Ｗｅｂブラウザのアドレスバーに表示されたＵＲＬを有するサーバに対するアクセスである。一方で、バックグラウンドのアクセスとは、例えば、Ｗｅｂブラウザのアドレスバーに表示されたＵＲＬを有するサーバに対するセッションを切断せずに、Ｗｅｂブラウザのアドレスバーに表示されていないＵＲＬを有するサーバに対するアクセスである。
【０００９】
そこで、本発明は、上述した課題を解決するためになされたものであり、収集サーバが端末装置を識別するクッキーＩＤとコンテンツサーバから提供されるウェブコンテンツの接触データとを対応付けることを可能とする端末装置及び収集方法を提供することを目的とする。
【課題を解決するための手段】
【００１０】
第１の特徴は、コンテンツサーバから提供されるウェブコンテンツの接触データが前記コンテンツサーバが属するドメインとは異なるドメインに属する収集サーバによって収集されるネットワークで用いる端末装置であって、フォアグラウンドのアクセス相手として前記収集サーバが属するドメインと同じドメインに属する発行サーバにアクセスした際に、前記収集サーバが前記端末装置を識別する収集サーバ用クッキーＩＤを格納済みクッキーＩＤとして格納する格納部と、フォアグラウンドのアクセス相手として前記コンテンツサーバにアクセスする場合に、前記格納済みクッキーＩＤとして格納された前記収集サーバ用クッキーＩＤを前記収集サーバに送信する送信部とを備えることを要旨とする。
【００１１】
第１の特徴において、前記収集サーバ用クッキーＩＤが前記格納済みクッキーＩＤとして格納されていない状態で、フォアグラウンドのアクセス相手として前記発行サーバに対するアクセスを要求する要求情報が埋め込まれた誘導ウェブコンテンツを前記収集サーバが属するドメインとは異なるドメインに属するサーバから受信する受信部を備え、前記格納部は、前記要求情報の実行によってフォアグラウンドのアクセス相手として前記発行サーバに対してアクセスすることによって、前記収集サーバ用クッキーＩＤを前記格納済みクッキーＩＤとして格納する。
【００１２】
第１の特徴において、前記要求情報は、前記発行サーバに対してアクセスするためのユーザ操作を誘導するためのガイド情報、或いは、ユーザ操作を必要とせずに前記発行サーバに対してアクセスする指示情報である。
【００１３】
第２の特徴は、コンテンツサーバから提供されるウェブコンテンツの接触データが前記コンテンツサーバが属するドメインとは異なるドメインに属する収集サーバによって収集されるネットワークで用いる収集方法であって、フォアグラウンドのアクセス相手として前記収集サーバが属するドメインと同じドメインに属する発行サーバにアクセスした際に、前記収集サーバが前記端末装置を識別する収集サーバ用クッキーＩＤを格納済みクッキーＩＤとして格納するステップＡと、フォアグラウンドのアクセス相手として前記コンテンツサーバにアクセスする場合に、前記格納済みクッキーＩＤとして格納された前記収集サーバ用クッキーＩＤを前記収集サーバに送信するステップＢとを備えることを要旨とする。
【発明の効果】
【００１４】
本発明によれば、収集サーバが端末装置を識別するクッキーＩＤとコンテンツサーバから提供されるウェブコンテンツの接触データとを対応付けることを可能とする端末装置及び収集方法を提供することができる。
【図面の簡単な説明】
【００１５】
【図１】図１は、第１実施形態に係る接触調査システム１００を示す図である。
【図２】図２は、第１実施形態に係る端末装置１０を示すブロック図である。
【図３】図３は、第１実施形態に係るアンケートサーバ５０によって収集される情報を示す図である。
【図４】図４は、第１実施形態に係る収集サーバ３０によって収集される情報を示す図である。
【図５】図５は、第１実施形態に係る収集方法を示すシーケンス図である。
【図６】図６は、第１実施形態に係る収集方法を示すシーケンス図である。
【発明を実施するための形態】
【００１６】
以下において、本発明の実施形態に係る接触調査システムについて、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る端末装置は、コンテンツサーバから提供されるウェブコンテンツの接触データが前記コンテンツサーバが属するドメインとは異なるドメインに属する収集サーバによって収集されるネットワークで用いる。端末装置は、フォアグラウンドのアクセス相手として前記収集サーバが属するドメインと同じドメインに属する発行サーバにアクセスした際に、前記収集サーバが前記端末装置を識別する収集サーバ用クッキーＩＤを格納済みクッキーＩＤとして格納する格納部と、フォアグラウンドのアクセス相手として前記コンテンツサーバにアクセスする場合に、前記格納済みクッキーＩＤとして格納された前記収集サーバ用クッキーＩＤを前記収集サーバに送信する送信部とを備える。
【００１９】
実施形態では、端末装置は、フォアグラウンドのアクセス相手としてコンテンツサーバにアクセスする場合に、格納済みクッキーＩＤとして格納された収集サーバ用クッキーＩＤを収集サーバに送信する。従って、収集サーバ用クッキーＩＤは、コンテンツサーバに対するアクセスにおいてはサードパーティクッキーＩＤであるが、格納済みクッキーＩＤとして既に格納されているため、収集サーバ３０に送信することができる。これによって、収集サーバが端末装置を識別する収集サーバ用クッキーＩＤとコンテンツサーバから提供されるウェブコンテンツの接触データとを対応付けることができる。
【００２０】
なお、ウェブコンテンツは、コンテンツサーバから端末装置に提供されるものであればよく、例えば、文字列によって構成されるコンテンツ、画像によって構成されるコンテンツ、音声によって構成されるコンテンツ、文字列、画像及び音声の組合せによって構成されるコンテンツを含む。さらには、ウェブコンテンツは、例えば、コンテンツサーバから配信されるアプリケーションであってもよい。
【００２１】
また、フォアグラウンドのアクセスとは、例えば、Ｗｅｂブラウザのアドレスバーに表示されたＵＲＬを有するサーバに対するアクセスである。一方で、バックグラウンドのアクセスとは、例えば、Ｗｅｂブラウザのアドレスバーに表示されたＵＲＬを有するサーバに対するセッションを切断せずに、Ｗｅｂブラウザのアドレスバーに表示されていないＵＲＬを有するサーバに対するアクセスである。
【００２２】
言い換えると、フォアグラウンドのアクセスとは、現在のセッションにおいてファーストパーティクッキーＩＤを発行するサーバに対するアクセスである。一方で、バックグラウンドのアクセスとは、現在のセッションにおいてファーストパーティクッキーＩＤを発行するサーバとは異なるサーバに対するアクセスである。
【００２３】
［第１実施形態］
（接触調査システム）
以下において、第１実施形態に係る接触調査システムについて説明する。図１は、第１実施形態に係る接触調査システム１００を示す図である。
【００２４】
図１に示すように、接触調査システム１００は、端末装置１０と、コンテンツサーバ２０と、収集サーバ３０と、発行サーバ４０と、アンケートサーバ５０と、ネットワーク６０とを有する。
【００２５】
端末装置１０は、スマートフォンに代表される携帯端末、タブレット端末などである。端末装置１０は、サードパーティクッキーＩＤの利用（格納又は送信）が禁止されている端末を含む。端末装置１０は、ウェブコンテンツを取得するためのアプリケーション（例えば、ウェブブラウザ等）を有する。
【００２６】
第１に、端末装置１０は、アンケートサーバ５０から所定アンケートを受信すると、端末装置１０のユーザの回答を含むアンケート結果をアンケートサーバ５０に送信する。具体的には、端末装置１０は、収集サーバ用クッキーＩＤとモニター識別子とを含む情報とともに、所定アンケートに対するアンケート結果を収集サーバ３０に送信する。
【００２７】
収集サーバ用クッキーＩＤは、収集サーバ３０が端末装置１０を識別するためのクッキーＩＤである。第１実施形態では、収集サーバ３０が属するドメインとは同じドメインに属する発行サーバ４０によって発行される。
【００２８】
ここで、フォアグラウンドのアクセス相手として収集サーバ３０に端末装置１０がアクセスする場合には、収集サーバ用クッキーＩＤは、端末装置１０にとってファーストパーティクッキーＩＤであることに留意すべきである。一方で、フォアグラウンドのアクセス相手として、収集サーバ３０が属するドメインとは異なるドメインに属するコンテンツサーバ２０或いはアンケートサーバ５０に端末装置１０がアクセスする場合には、収集サーバ用クッキーＩＤは、端末装置１０にとってサードパーティクッキーＩＤであることに留意すべきである。
【００２９】
モニター識別子は、端末装置１０のユーザを識別する識別子である。所定アンケートは、端末装置１０のユーザを対象として、年齢、性別、趣味、嗜好などの属性を問合せるアンケートである。アンケート結果は、年齢、性別、趣味、嗜好などの属性（ユーザの回答）を含む。
【００３０】
第２に、端末装置１０は、格納済みクッキーＩＤとして格納された収集サーバ用クッキーＩＤを収集サーバ３０に送信する。具体的には、端末装置１０は、フォアグラウンドのアクセス相手としてコンテンツサーバ２０にアクセスする場合には、バックグラウンドのアクセス相手として収集サーバ３０にアクセスする。このようなアクセスにおいて、端末装置１０は、格納済みクッキーＩＤとして格納された収集サーバ用クッキーＩＤとともに、ウェブコンテンツの接触データを収集サーバ３０に送信する。
【００３１】
接触データは、例えば、接触ＵＲＬ、接触日時、リファラーなどを含む。接触ＵＲＬは、アプリケーションを用いて取得されたウェブコンテンツを識別する情報である。接触日時は、アプリケーションを用いてウェブコンテンツが取得された日時である。リファラーは、アプリケーションを用いてウェブコンテンツを検索する際に参照されたウェブコンテンツを識別する情報（例えば、ＵＲＬ；Ｕｎｉｆｏｒｍ  Ｒｅｓｏｕｒｃｅ  Ｌｏｃａｔｏｒ）である。接触データは、アプリケーションの起動日時、アプリケーションの終了日時であってもよい。或いは、接触データは、接触ＵＲＬ、接触日時、リファラーなどに加えて、アプリケーションの起動日時、アプリケーションの終了日時を含んでいてもよい。
【００３２】
第３に、端末装置１０は、収集サーバ用クッキーＩＤが格納済みクッキーＩＤとして格納されていない状態で、フォアグラウンドのアクセス相手として発行サーバ４０に対するアクセスを要求する要求情報が埋め込まれた誘導ウェブコンテンツを収集サーバ３０が属するドメインとは異なるドメインに属するサーバ（例えば、コンテンツサーバ２０或いはアンケートサーバ５０）から受信する。
【００３３】
要求情報は、発行サーバ４０に対してアクセスするためのユーザ操作を誘導するためのガイド情報、或いは、ユーザ操作を必要とせずに発行サーバに対してアクセスする指示情報である。ガイド情報は、例えば、ユーザ操作によってクリックされる埋込情報であり、埋込情報は、発行サーバ４０のＵＲＬ等を含む。指示情報は、発行サーバ４０に対するリダイレクトを指示する情報である。指示情報を含む誘導ウェブコンテンツは、スプラッシュページであってもよい。
【００３４】
コンテンツサーバ２０は、様々なウェブコンテンツを提供するサーバである。ここで、コンテンツサーバ２０は、端末装置１０が有するアプリケーションによってアクセスされるサーバであればよい。具体的には、コンテンツサーバ２０は、ネットワーク６０を介して、ウェブコンテンツを構成するデータ（例えば、ＨＴＭＬデータやＸＭＬデータなど）を端末装置１０に送信する。なお、ウェブコンテンツは、動画像や静止画像などによって構成されるコンテンツを含んでいてもよい。
【００３５】
収集サーバ３０は、アプリケーションを用いて取得されたウェブコンテンツの接触データを収集する。詳細には、収集サーバ３０は、ウェブコンテンツの接触データ及び収集サーバ用クッキーＩＤを含む情報を端末装置１０から受信する。ここで、収集サーバ３０によって収集されるウェブコンテンツの接触データは、収集サーバ用クッキーＩＤを媒介として、アンケートサーバ５０に格納されたアンケート結果と対応付けられてもよい。
【００３６】
発行サーバ４０は、格納済みクッキーＩＤとして収集サーバ用クッキーＩＤを発行する。具体的には、発行サーバ４０は、フォアグラウンドのアクセス相手として発行サーバ４０が端末装置１０からアクセスされた場合に、格納済みクッキーＩＤとして収集サーバ用クッキーＩＤを端末装置１０に送信する。第１実施形態では、発行サーバ４０は、収集サーバ３０が属するドメインとは同じドメインに属することに留意すべきである。
【００３７】
アンケートサーバ５０は、所定アンケートを端末装置１０に送信する。アンケートサーバ５０は、所定アンケートに対する回答結果を端末装置１０から受信する。詳細には、アンケートサーバ５０は、収集サーバ用クッキーＩＤとモニター識別子とを含む情報とともに、所定アンケートに対するアンケート結果を端末装置１０から受信する。第１実施形態では、アンケートサーバ５０は、収集サーバ３０が属するドメインとは異なるドメインに属することに留意すべきである。
【００３８】
ネットワーク６０は、端末装置１０、コンテンツサーバ２０、収集サーバ３０、発行サーバ４０及びアンケートサーバ５０を接続するネットワークである。ネットワーク６０は、例えば、インターネットである。或いは、ネットワーク６０は、移動体通信網を含んでもよい。
【００３９】
（端末装置）
以下において、第１実施形態に係る端末装置について説明する。図２は、第１実施形態に係る端末装置１０を示すブロック図である。なお、図２では、端末装置１０を構成する機能ブロックが示されている。従って、図２では、ＣＰＵやメモリなどの構成が省略されていることに留意すべきである。
【００４０】
図２に示すように、端末装置１０は、通信部１１と、格納部１２と、制御部１３とを有する。
【００４１】
通信部１１は、コンテンツサーバ２０、収集サーバ３０、発行サーバ４０及びアンケートサーバ５０と通信を行う。例えば、通信部１１は、収集サーバ用クッキーＩＤとモニター識別子とを含む情報とともに所定アンケートに対するアンケート結果をアンケートサーバ５０に送信する。
【００４２】
第１実施形態において、通信部１１は、フォアグラウンドのアクセス相手としてコンテンツサーバにアクセスする場合に、格納済みクッキーＩＤとして格納された収集サーバ用クッキーＩＤを収集サーバ３０に送信する送信部を構成する。詳細には、通信部１１は、格納済みクッキーＩＤとして格納された収集サーバ用クッキーＩＤとともに、ウェブコンテンツの接触データを収集サーバ３０に送信する。
【００４３】
第１実施形態において、通信部１１は、収集サーバ用クッキーＩＤが格納済みクッキーＩＤとして格納されていない状態で、フォアグラウンドのアクセス相手として発行サーバ４０に対するアクセスを要求する要求情報が埋め込まれた誘導ウェブコンテンツを収集サーバ３０が属するドメインとは異なるドメインに属するサーバ（例えば、コンテンツサーバ２０或いはアンケートサーバ５０）から受信する。
【００４４】
要求情報は、発行サーバ４０に対してアクセスするためのユーザ操作を誘導するためのガイド情報、或いは、ユーザ操作を必要とせずに発行サーバに対してアクセスする指示情報である。ガイド情報は、例えば、ユーザ操作によってクリックされる埋込情報であり、埋込情報は、発行サーバ４０のＵＲＬ等を含む。指示情報は、発行サーバ４０に対するリダイレクトを指示する情報である。指示情報を含む誘導ウェブコンテンツは、スプラッシュページであってもよい。
【００４５】
格納部１２は、各種情報を記憶する。例えば、格納部１２は、端末装置１０を制御するためのプログラム、ウェブコンテンツを取得するためのアプリケーション（例えば、ウェブブラウザ等）を記憶する。第１実施形態において、格納部１２は、フォアグラウンドのアクセス相手として収集サーバ３０が属するドメインと同じドメインに属する発行サーバ４０にアクセスした際に、収集サーバ用クッキーＩＤを格納済みクッキーＩＤとして格納する格納部を構成する。
【００４６】
制御部１３は、端末装置１０を制御する。第１実施形態において、制御部１３は、フォアグラウンドのアクセス相手として発行サーバ４０に対するアクセスを要求する要求情報が埋め込まれた誘導ウェブコンテンツを受信した場合に、要求情報の実行によってフォアグラウンドのアクセス相手として発行サーバ４０に対するアクセスを通信部１１に指示する。
【００４７】
（収集サーバ及びアンケートサーバの収集情報）
以下において、第１実施形態に係る収集サーバ及びアンケートサーバによって収集される情報について説明する。図３は、アンケートサーバ５０によって収集される情報を示す図である。図４は、収集サーバ３０によって収集される情報を示す図である。
【００４８】
第１に、アンケートサーバ５０は、図３に示すように、端末装置１０から受信する情報に基づいて、収集サーバ用クッキーＩＤ、モニター識別子、アンケート結果を対応付ける。
【００４９】
第２に、収集サーバ３０は、図４に示すように、端末装置１０から受信する情報に基づいて、収集サーバ用クッキーＩＤとウェブコンテンツの接触データとを対応付ける。
【００５０】
これによって、収集サーバ３０によって収集されるウェブコンテンツの接触データは、収集サーバ用クッキーＩＤを媒介として、アンケートサーバ５０に格納されたアンケート結果と対応付けることが可能である。さらに、ウェブコンテンツの接触データに加えて、アンケート結果をモニター識別子と対応付けることも可能である。
【００５１】
（収集方法）
以下において、第１実施形態に係る収集方法について説明する。図５及び図６は、第１実施形態に係る収集方法を示すシーケンス図である。以下においては、図５に示す例では、アンケートサーバ５０が属するドメインは、収集サーバ３０が属するドメインと異なっている。また、発行サーバ４０は、収集サーバ３０と同じサーバである。
【００５２】
第１に、収集サーバ用クッキーＩＤを格納済みクッキーＩＤとして格納する手順について、図５を参照しながら説明する。
【００５３】
図５に示すように、ステップＳ１０において、端末装置１０は、フォアグラウンドのアクセス相手としてアンケートサーバ５０にアクセスする。
【００５４】
ステップＳ２０において、アンケートサーバ５０は、フォアグラウンドのアクセス相手として発行サーバ４０（収集サーバ３０）に対するアクセスを要求する要求情報が埋め込まれた誘導ウェブコンテンツを端末装置１０に送信する。
【００５５】
ステップＳ３０において、端末装置１０は、要求情報の実行によってフォアグラウンドのアクセス相手として発行サーバ４０（収集サーバ３０）に対してアクセスする。
【００５６】
ステップＳ４０において、発行サーバ４０（収集サーバ３０）は、格納済みクッキーＩＤとして収集サーバ用クッキーＩＤを発行する。
【００５７】
ステップＳ５０において、端末装置１０は、収集サーバ用クッキーＩＤを格納済みクッキーＩＤとして格納する。ここで、ステップＳ３０において、フォアグラウンドのアクセス相手として発行サーバ４０（収集サーバ３０）に対してアクセスしているため、収集サーバ用クッキーＩＤは、端末装置１０にとってファーストパーティクッキーＩＤであることに留意すべきである。
【００５８】
ステップＳ６０において、端末装置１０は、フォアグラウンドのアクセス相手としてアンケートサーバ５０に再びアクセスする。詳細には、端末装置１０は、収集サーバ用クッキーＩＤとモニター識別子とを含む情報とともに、所定アンケートに対するアンケート結果をアンケートサーバ５０に送信する。
【００５９】
第２に、ウェブコンテンツの接触データを収集する手順について、図６を参照しながら説明する。
【００６０】
図６に示すように、Ｓ１１０において、端末装置１０は、ウェブコンテンツを要求するコンテンツ要求をコンテンツサーバ２０に送信する。
【００６１】
ステップＳ１２０において、コンテンツサーバ２０は、コンテンツ要求に応じて、ウェブコンテンツを端末装置１０に送信する。ここで、ウェブコンテンツには、Ｊａｖａ  Ｓｃｒｉｐｔのリンクが含まれている。
【００６２】
ステップＳ１３０において、端末装置１０は、ウェブコンテンツに含まれるＪａｖａ  Ｓｃｒｉｐｔのリンクに従って、Ｊａｖａ  Ｓｃｒｉｐｔを要求する情報（Ｊａｖａ  Ｓｃｒｉｐｔ要求）を収集サーバ３０（発行サーバ４０）に送信する。
【００６３】
ステップＳ１４０において、収集サーバ３０（発行サーバ４０）は、Ｊａｖａ  Ｓｃｒｉｐｔを含む情報（Ｊａｖａ  Ｓｃｒｉｐｔ応答）を端末装置１０に送信する。
【００６４】
ステップＳ１５０において、端末装置１０は、Ｊａｖａ  Ｓｃｒｉｐｔ応答に含まれるＪａｖａ  Ｓｃｒｉｐｔの実行によって、収集サーバ３０（発行サーバ４０）にアクセスする。詳細には、端末装置１０は、格納済みクッキーＩＤとして格納された収集サーバ用クッキーＩＤとともに、ウェブコンテンツの接触データを収集サーバ３０に送信する。
【００６５】
ここで、ステップＳ１３０からステップＳ１５０の処理は、フォアグラウンドのアクセス相手としてコンテンツサーバ２０にアクセスしている途中において、バックグラウンドのアクセス相手として収集サーバ３０にアクセスする処理であることに留意すべきである。従来技術では、これらの処理において、収集サーバ用クッキーＩＤが格納済みクッキーＩＤとして格納されないため、収集サーバ用クッキーＩＤ（すなわち、サードパーティクッキーＩＤ）を収集サーバ３０に送信することができなかったことに留意すべきである。
【００６６】
（作用及び効果）
第１実施形態では、端末装置１０は、フォアグラウンドのアクセス相手としてコンテンツサーバ２０にアクセスする場合に、格納済みクッキーＩＤとして格納された収集サーバ用クッキーＩＤを収集サーバ３０に送信する。従って、収集サーバ用クッキーＩＤは、コンテンツサーバ２０に対するアクセスにおいてはサードパーティクッキーＩＤであるが、格納済みクッキーＩＤとして既に格納されているため、収集サーバ３０に送信することができる。これによって、収集サーバ３０が端末装置１０を識別する収集サーバ用クッキーＩＤとコンテンツサーバ２０から提供されるウェブコンテンツの接触データとを対応付けることができる。
【００６７】
［変更例１］
以下において、第１実施形態の変更例１について説明する。以下においては、第１実施形態に対する相違点について主として説明する。
【００６８】
具体的には、変更例１においては、発行サーバ４０は、端末装置１０がアクセスする頻度が所定閾値よりも高いドメインに設けられる。これによって、フォアグラウンドのアクセス相手としてコンテンツサーバ２０に端末装置１０がアクセスする際に、収集サーバ用クッキーＩＤが格納済みクッキーＩＤとして格納されている可能性が高い。
【００６９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７０】
実施形態では、収集サーバ用クッキーＩＤは、収集サーバ３０が属するドメインとは同じドメインに属する発行サーバ４０によって発行される。しかしながら、実施形態では、これに限定されるものではない。発行サーバ４０は、収集サーバ３０の機能の一部として収集サーバ３０に含まれていてもよい。
【００７１】
実施形態では、アンケートサーバ５０が属するドメインは、収集サーバ３０が属するドメインと異なっている。しかしながら、実施形態は、これに限定されるものではない。アンケートサーバ５０が属するドメインは、収集サーバ３０が属するドメインと同じであってもよい。或いは、アンケートサーバ５０は、収集サーバ３０の機能の一部として収集サーバ３０に含まれていてもよい。
【００７２】
実施形態では、誘導ウェブコンテンツは、アンケートサーバ５０から端末装置１０に送信されるケースを例示した。しかしながら、実施形態は、これに限定されるものではない。誘導ウェブコンテンツは、収集サーバ３０が属するドメインとは異なるドメインに属するサーバから送信されればよく、コンテンツサーバ２０から送信されてもよい。
【００７３】
実施形態では特に触れていないが、フォアグラウンドのアクセス相手として発行サーバ４０に対するアクセスを要求する要求情報は、ｅ−ｍａｉｌ等の手段によって端末装置１０に送信されてもよい。
【００７４】
実施形態では、端末装置１０のユーザを識別するモニター識別子及びアンケート結果（ユーザの属性）が接触データと対応付けられる。しかしながら、実施形態はこれに限定されるものではない。実施形態では、少なくとも、接触データを収集サーバ用クッキーＩＤと対応けることができればよい。
【００７５】
実施形態では、接触データは、接触ＵＲＬ、接触日時、リファラーなどを含む。しかしながら、実施形態は、これに限定されるものではない。接触データは、端末装置１０によって接触されるコンテンツを識別する情報を少なくとも含んでいればよい。或いは、接触データは、他のデータを含んでいてもよい。
【００７６】
実施形態では特に触れていないが、端末装置１０が有するアプリケーションは、コンテンツサーバ２０にアクセスする機能を有していればよい。アプリケーションは、ウェブブラウザであってもよく、ゲームのアプリケーションであってもよく、ＳＮＳ（Ｓｏｃｉａｌ  Ｎｅｔｗｏｒｋ  Ｓｅｒｖｉｃｅ）のアプリケーションであってもよい。
【符号の説明】
【００７７】
１０…端末装置、１１…通信部、１２…格納部、１３…制御部、２０…コンテンツサーバ、３０…収集サーバ、４０…発行サーバ、５０…アンケートサーバ、６０…ネットワーク、１００…接触調査システム
【図１】
2015125748.tif 000003
【図２】
2015125748.tif 000004
【図３】
2015125748.tif 000005
【図４】
2015125748.tif 000006
【図５】
2015125748.tif 000007
【図６】
2015125748.tif 000008